(57)【要約】【課題】被記録媒体に記録のために吐出されたインクを電磁波照射により乾燥させる電磁波照射部を備える記録装置において、電磁波照射により該インクから蒸発した蒸気が結露することを抑制する。【解決手段】電磁波を利用して被記録媒体Ｐ上に存在するインクを乾燥する電磁波照射部７と、電磁波照射部７による電磁波の照射によって被記録媒体Ｐの裏面側に発生する前記インクから蒸発した蒸気を、該被記録媒体Ｐから遠ざける方向に移動させるファン１０と、を備える。【選択図】図１
2015020417.tif 000002
【特許請求の範囲】
【請求項１】
電磁波を利用して被記録媒体上に存在するインクを乾燥する電磁波照射部と、
前記電磁波照射部による電磁波の照射によって前記被記録媒体の裏面側に発生する前記インクから蒸発した蒸気を、該被記録媒体から遠ざける方向に移動させるファンと、を備えることを特徴とする記録装置。
【請求項２】
請求項１に記載の記録装置において、
前記電磁波照射部の照射領域において前記被記録媒体を支持し、前記被記録媒体の支持面側から反対側に前記蒸気が通る開口部が設けられる媒体支持部を備え、
前記ファンは、前記被記録媒体の支持面側から前記開口部を介して前記蒸気を移動させることを特徴とする記録装置。
【請求項３】
請求項２に記載の記録装置において、
前記媒体支持部の前記開口部は、開口率が４０％以上であることを特徴とする記録装置。
【請求項４】
請求項２又は３に記載の記録装置において、
前記媒体支持部は、少なくとも一部が直径０．３ｍｍ以下の線状部材で構成されていることを特徴とする記録装置。
【請求項５】
請求項１に記載の記録装置において、
前記電磁波照射部の照射領域において、前記被記録媒体と前記被記録媒体の支持面に隙間を有した状態で、前記被記録媒体を前記支持面で支持する媒体支持部を備え、
前記ファンは、前記隙間から蒸気を移動させることを特徴とする記録装置。
【請求項６】
請求項１から５のいずれか１項に記載の記録装置において、
前記蒸気を結露させて液体として回収する回収部を備えることを特徴とする記録装置。
【請求項７】
請求項６に記載の記録装置において、
前記電磁波照射部の照射領域において前記被記録媒体を支持する媒体支持部を備え、
前記回収部の少なくとも一部は、前記媒体支持部よりも熱伝導率が高いことを特徴とする記録装置。
【請求項８】
請求項１から７のいずれか１項に記載の記録装置において、
前記電磁波照射部による電磁波の照射によって前記被記録媒体の記録面側に発生する前記蒸気を、該被記録媒体から遠ざける方向に移動させる蒸気移動部を備えることを特徴とする記録装置。
【請求項９】
請求項８に記載の記録装置において、
前記蒸気移動部は、前記蒸気を吸引する吸気口を有し、
前記吸気口は、前記電磁波照射部の照射領域に対して鉛直上方向に位置することを特徴とする記録装置。
【請求項１０】
請求項９に記載の記録装置において、
前記電磁波照射部の照射領域において前記被記録媒体を支持する媒体支持部を備え、
前記媒体支持部は、前記記録装置の設置面に対して１０°以上６０°以下の範囲で傾斜していることを特徴とする記録装置。
【請求項１１】
請求項１から１０のいずれか１項に記載の記録装置において、
前記電磁波照射部の照射領域において前記被記録媒体を支持する媒体支持部を備え、
前記被記録媒体の短手方向における前記電磁波照射部の電磁波の照射長さは、前記短手方向における前記媒体支持部の長さと同等かそれ以上であることを特徴とする記録装置。
【請求項１２】
請求項１から１１のいずれか１項に記載の記録装置において、
前記被記録媒体として布帛及びポリエステルの少なくとも一方を使用可能であることを特徴とする記録装置。
【請求項１３】
インク乾燥用の電磁波の照射によって被記録媒体の裏面側に発生する前記被記録媒体に吐出されたインクから蒸発した蒸気を該被記録媒体から遠ざける方向に移動させる構成であることを特徴とする記録装置。
【請求項１４】
電磁波を利用して被記録媒体上に存在するインクを乾燥する電磁波照射部と、
前記インクを乾燥させる際に、前記被記録媒体の裏面側に発生する前記インクから蒸発した蒸気を、該被記録媒体から遠ざける方向に移動させるファンと、を備えることを特徴とする記録装置。
【請求項１５】
被記録媒体の上に存在するインクを乾燥させる乾燥方法であって、
電磁波照射部による電磁波の照射によって前記被記録媒体の裏面側に発生する前記被記録媒体に吐出されたインクから蒸発した蒸気を、ファンにより該被記録媒体から遠ざける方向に移動させながら乾燥を行うことを特徴とする乾燥方法。
【発明の詳細な説明】
【技術分野】
【０００１】
本発明は、記録装置及び乾燥方法に関する。
【背景技術】
【０００２】
従来から、被記録媒体に吐出されたインクを乾燥させるヒーターを備える記録装置が使用されている。このうち、被記録媒体に吐出されたインクを乾燥させるために、被記録媒体に電磁波を照射する電磁波照射部を備える記録装置が多く使用されている。例えば、特許文献１及び特許文献２には、ハロゲンヒーターやシーズヒーターなどの電磁波を照射するヒーターを備える記録装置が開示されている。
【０００３】
また、特許文献３には、被記録媒体を支持する媒体支持部としてのプラテンと、該被記録媒体を該プラテンに吸着させるために該プラテンの下部に設けられるファンと、を備える記録装置が開示されている。
【先行技術文献】
【特許文献】
【０００４】
【特許文献１】特開２０１３−２８０９４号公報
【特許文献２】特開２０１２−４５８５５号公報
【特許文献３】特開２０１３−２８０８９号公報
【発明の概要】
【発明が解決しようとする課題】
【０００５】
しかしながら、特許文献１及び特許文献２に開示されるような、従来の、赤外線等の電磁波照射タイプのヒーターを備える記録装置では、該ヒーターにより、被記録媒体に吐出されたインクから蒸発した蒸気が媒体支持部に結露し、被記録媒体が濡れてしまう場合があった。  
なお、特許文献３に開示される記録装置は、被記録媒体をプラテンに吸着させるために該プラテンの下部にファンが設けられるにすぎず、被記録媒体に吐出されたインクから蒸発した蒸気が媒体支持部に結露し、被記録媒体が濡れてしまうことを抑制するものではない。
【０００６】
そこで、本発明の目的は、電磁波照射によりインクから蒸発した蒸気が媒体支持部に結露することを抑制することである。
【課題を解決するための手段】
【０００７】
上記課題を解決するための本発明の第１の態様の記録装置は、電磁波を利用して被記録媒体上に存在するインクを乾燥する電磁波照射部と、前記電磁波照射部による電磁波の照射によって前記被記録媒体の裏面側に発生する前記インクから蒸発した蒸気を、該被記録媒体から遠ざける方向に移動させるファンと、を備えることを特徴とする。
【０００８】
ここで、「被記録媒体の裏面側」とは、被記録媒体の記録面とは反対側を意味する。  
本態様によれば、前記被記録媒体に吐出された前記インクが前記電磁波の照射によって蒸発して乾燥することで前記被記録媒体の裏面側に発生する前記蒸気を、前記ファンによって前記被記録媒体から遠ざかる方向に移動させることが可能である。これにより、前記被記録媒体の裏面側の部分に発生した蒸気を直ちに除くことができ、以って該蒸気が前記被記録媒体の裏面側の部分において結露することを抑制することができる。
【０００９】
本発明の第２の態様の記録装置は、前記第１の態様において、前記電磁波照射部の照射領域において前記被記録媒体を支持し、前記被記録媒体の支持面側から反対側に前記蒸気が通る開口部が設けられる媒体支持部を備え、前記ファンは、前記被記録媒体の支持面側から前記開口部を介して前記蒸気を移動させることを特徴とする。
【００１０】
本態様によれば、前記ファンは、前記蒸気が前記被記録媒体の支持面側から前記開口部を介して反対側に向かって前記蒸気を移動させる。このため、前記媒体支持部における前記被記録媒体の支持面側に前記蒸気が滞留し結露するということを抑制することができる。
【００１１】
本発明の第３の態様の記録装置は、前記第２の態様において、前記媒体支持部に対する前記開口部の開口率は、４０％以上であることを特徴とする。
【００１２】
本態様によれば、前記媒体支持部に対する前記開口部の開口率は４０％以上と高いので、前記蒸気を前記媒体支持部周りから遠くへ除きやすく、当該媒体支持部で蒸気が結露することを高い精度で抑制することができる。
【００１３】
本発明の第４の態様の記録装置は、前記第２の態様又は第３の態様において、前記媒体支持部は、少なくとも一部が直径０．３ｍｍ以下の線状部材で構成されていることを特徴とする。
【００１４】
本態様によれば、前記媒体支持部は少なくとも一部が直径０．３ｍｍ以下の線状部材で構成されている。前記蒸気が結露するのには一定の面積の領域が必要になるが、少なくとも一部が直径０．３ｍｍ以下の線状部材を用いて開口部を構成することにより、開口部以外の面積を小さくすることができる。このため、このような一定の面積の領域を低減することができ、被記録媒体との接触部分で蒸気が結露しづらく、媒体支持部で蒸気が結露することを高い精度で抑制することができる。
【００１５】
本発明の第５の態様の記録装置は、前記第１の態様において、前記電磁波照射部の照射領域において、前記被記録媒体と前記被記録媒体の支持面とに隙間を有した状態で、前記被記録媒体を前記支持面で支持する媒体支持部を備え、前記ファンは、前記隙間から蒸気を移動させることを特徴とする。
【００１６】
本態様によれば、前記媒体支持部は、前記被記録媒体と前記被記録媒体の支持面とに隙間を有した状態で、前記被記録媒体を前記支持面で支持するので、前記被記録媒体と前記支持面との接触面積を低減することにより搬送負荷を低減することができる。  
また、前記被記録媒体と前記被記録媒体の支持面とに隙間を有することで、該隙間に前記蒸気が集まるが、前記ファンは該隙間から蒸気を移動させるので、該隙間の蒸気を逃がすことができ、該隙間部分に蒸気が結露することを抑制することができる。
【００１７】
本発明の第６の態様の記録装置は、前記第１の態様から第５の態様のいずれか１つの態様において、前記蒸気を結露させて液体として回収する回収部を備えることを特徴とする。
【００１８】
本態様によれば、前記蒸気を結露させて液体として回収する回収部を備えるので、前記インクに基づく蒸気の環境への放出量を低減することができる。
【００１９】
本発明の第７の態様の記録装置は、前記第６の態様において、前記電磁波照射部の照射領域において前記被記録媒体を支持する媒体支持部を備え、前記回収部の少なくとも一部は、前記媒体支持部よりも熱伝導率が高いことを特徴とする。
【００２０】
本態様によれば、前記回収部の少なくとも一部は、前記媒体支持部よりも熱伝導率が高い。すなわち、前記回収部の少なくとも一部は、前記媒体支持部よりも熱伝導率が高いため、前記電磁波照射部の電磁波の照射に起因して発生した前記蒸気等を介して伝わってきた熱が逃げやすく、前記媒体支持部よりも温度が低くなって前記蒸気が結露しやすい。このため、前記回収部で前記蒸気を結露させることにより、前記媒体支持部において前記蒸気が結露することを抑制することができる。
【００２１】
本発明の第８の態様の記録装置は、前記第１の態様から第７の態様のいずれか１つの態様において、前記電磁波照射部による電磁波の照射によって前記被記録媒体の記録面側に発生する前記蒸気を、該被記録媒体から遠ざける方向に移動させる第２蒸気移動部を備えることを特徴とする。
【００２２】
本態様によれば、前記電磁波照射部による電磁波の照射によって前記被記録媒体の記録面側に発生する前記蒸気を、該被記録媒体から遠ざける方向に移動させる第２蒸気移動部を備える。このため、前記被記録媒体の記録面側とその反対側の両方において前記蒸気を移動させることができ、前記蒸気が結露することをより効果的に抑制することができる。
【００２３】
本発明の第９の態様の記録装置は、前記第８の態様において、前記第２蒸気移動部は、前記蒸気を吸引する吸気口を有し、前記吸気口は、前記電磁波照射部の照射領域に対して鉛直上方向に位置することを特徴とする。
【００２４】
ここで、「照射領域に対して鉛直上方向に位置する」とは、前記照射領域の真上に限定されず、多少ずれていても上昇してくる前記蒸気を吸い込める位置であればよい意味で使われている。  
本態様によれば、前記吸気口は、前記電磁波照射部の照射領域に対して鉛直上方向に位置する。このため、効果的に前記蒸気を吸引することができる。前記蒸気は加熱されているため鉛直上方向に移動しやすいためである。すなわち、前記蒸気が結露することを効果的に抑制することができる。
【００２５】
本発明の第１０の態様の記録装置は、前記第９の態様において、前記電磁波照射部の照射領域において前記被記録媒体を支持する媒体支持部を備え、前記媒体支持部は、前記記録装置の設置面に対して１０°以上６０°以下の範囲で傾斜していることを特徴とする。
【００２６】
本態様によれば、前記記録装置の設置面に対して傾斜していない構成の記録装置に比べて、記録装置を小型化することができる。
【００２７】
本発明の第１１の態様の記録装置は、前記第１の態様から第１０の態様のいずれか１つの態様において、前記電磁波照射部の照射領域において前記被記録媒体を支持する媒体支持部を備え、前記被記録媒体の短手方向における前記電磁波照射部の電磁波の照射長さは、前記短手方向における前記媒体支持部の長さと同等かそれ以上であることを特徴とする。
【００２８】
ここで、「前記短手方向における前記媒体支持部の長さと同等かそれ以上である」の「同等」には前記短手方向における前記媒体支持部の長さよりも若干短い場合も含まれる意味である。  
本態様によれば、前記短手方向における前記電磁波照射部の電磁波の照射長さは、前記短手方向における前記媒体支持部の長さと同等かそれ以上である。このため、前記短手方向における前記媒体支持部の温度差を小さくすることができ、前記媒体支持部の前記短手方向の端部等に結露が生じることを抑制することができる。
【００２９】
本発明の第１２の態様の記録装置は、前記第１の態様から第１１の態様のいずれか１つの態様において、前記被記録媒体として布帛及びポリエステルの少なくとも一方を使用可能であることを特徴とする。
【００３０】
ここで、「布帛」とは、綿、麻、絹、又はこれらを混合したもの等を原糸とする布や織物等の繊維製品を意味し、例えば、ブラウス、ワイシャツ、作業着などの衣料品の材料として用いられるブロード、シーチング等の繊維製品が挙げられる。  
本態様によれば、前記被記録媒体として布帛及びポリエステルの少なくとも一方を使用可能である。このような被記録媒体は前記被記録媒体の裏面側に前記蒸気が通り抜けやすいが、このような被記録媒体を使用可能な記録装置であっても、前記蒸気が結露することを抑制できる。
【００３１】
本発明の第１３の態様の記録装置は、インク乾燥用の電磁波の照射によって被記録媒体の裏面側に発生する前記被記録媒体に吐出されたインクから蒸発した蒸気を該被記録媒体から遠ざける方向に移動させる構成であることを特徴とする。
【００３２】
本態様によれば、電磁波の照射によって被記録媒体の裏面側に発生する前記被記録媒体に吐出されたインクから蒸発した蒸気を該被記録媒体から遠ざける方向に移動させる構成であるので、前記蒸気が結露して前記被記録媒体を汚すことを抑制することができる。
【００３３】
本発明の第１４の態様の記録装置は、電磁波を利用して被記録媒体上に存在するインクを乾燥する電磁波照射部と、前記インクを乾燥させる際に、前記被記録媒体の裏面側に発生する前記インクから蒸発した蒸気を、該被記録媒体から遠ざける方向に移動させるファンと、を備えることを特徴とする。
【００３４】
本態様によれば、電磁波の照射によって被記録媒体の裏面側に発生する前記被記録媒体に吐出されたインクから蒸発した蒸気を該被記録媒体から遠ざける方向に移動させる構成であるので、前記蒸気が結露して前記被記録媒体を汚すことを抑制することができる。
【００３５】
本発明の第１５の態様の乾燥方法は、被記録媒体の上に存在するインクを乾燥させる乾燥方法であって、電磁波照射部による電磁波の照射によって前記被記録媒体の裏面側に発生する前記被記録媒体に吐出されたインクから蒸発した蒸気を、ファンにより該被記録媒体から遠ざける方向に移動させながら乾燥を行うことを特徴とする。
【００３６】
本態様によれば、電磁波の照射によって被記録媒体の裏面側に発生する前記被記録媒体に吐出されたインクから蒸発した蒸気を該被記録媒体から遠ざける方向に移動させるので、前記蒸気が結露して前記被記録媒体を汚すことを抑制することができる。
【図面の簡単な説明】
【００３７】
【図１】本発明の実施形態１に係る記録装置を表す概略側面図。
【図２】本発明の実施形態１に係る記録装置における媒体支持部を表す概略斜視図。
【図３】本発明の実施形態１に係る記録装置における媒体支持部を表す概略平面図。
【図４】本発明の実施形態２に係る記録装置における媒体支持部を表す概略側面図。
【図５】本発明の実施形態３に係る記録装置における媒体支持部を表す概略平面図。
【図６】本発明の実施形態３に係る記録装置を表す概略正面図。
【図７】本発明の実施形態４に係る記録装置における媒体支持部を表す概略斜視図。
【発明を実施するための形態】
【００３８】
［実施形態１］（図１〜図３）  
以下に、実施形態１の記録装置について、添付図面を参照して詳細に説明する。  
最初に、本実施形態に係る記録装置について説明する。該記録装置は水性インクによって被記録媒体に記録可能な記録装置であるが、水性インクを使用可能な記録装置に限定されない。また、該記録装置は、蒸気移動部を備える乾燥機構を記録領域（記録ヘッドのノズル面が対向可能な位置）とは異なる位置に備えた所謂アフターヒータータイプの記録装置であるが、このような記録装置に限定されず、蒸気移動部を備える乾燥機構を記録領域に備えた記録装置としてもよい。さらに、該記録装置は、被記録媒体を記録ヘッドに対して搬送して記録を行う記録装置であるが、媒体支持部に対して記録ヘッドを移動させる所謂フラットベッドタイプの記録装置としてもよい。  
図１は本実施形態に係る記録装置１の概略側面図を表している。
【００３９】
本実施形態の記録装置１は、記録を行うための被記録媒体Ｐを送り出すことが可能にロールＲ１をセットするセット部２を備えている。なお、本実施形態の記録装置１は被記録媒体Ｐとしてロール式の被記録媒体を使用しているが、このようなロール式の被記録媒体を使用する記録装置に限定されない。例えば、単票式の被記録媒体を用いてもよい。  
本実施形態の記録装置１は、被記録媒体Ｐを搬送方向Ａに搬送する際、セット部２は回転方向Ｃに回転する。
【００４０】
また、本実施形態の記録装置１は、ロール式の被記録媒体Ｐを搬送方向Ａに搬送するための不図示の複数の搬送ローラーをプラテン３の近傍等に備える搬送機構１５を備えている。セット部２が回転方向Ｃに回転し、搬送機構１５の不図示の複数の搬送ローラーが回転し、後述の巻取部１４が回転方向Ｃに回転することにより被記録媒体Ｐは搬送方向Ａに搬送される。この搬送される際の被記録媒体Ｐの移動経路が該被記録媒体Ｐの搬送経路である。
【００４１】
また、本実施形態の記録装置１は、被記録媒体Ｐの搬送方向Ａと交差する走査方向Ｂに記録ヘッド４を往復走査させて記録する記録機構１６を備えている。記録ヘッド４は、搬送機構１５による被記録媒体Ｐの搬送経路のうちの記録領域３３において、被記録媒体Ｐにノズルからインクを吐出して記録する。記録ヘッド４から吐出されたインクにより、被記録媒体Ｐに画像が形成（記録）される。なお、本実施形態の記録装置１は、記録ヘッド４を往復移動させて記録する記録機構１６を備えているが、インクを吐出するノズルを搬送方向Ａと交差する方向に複数設けた所謂ラインヘッドを備える記録装置でもよい。  
ここで、「ラインヘッド」とは、被記録媒体Ｐの搬送方向Ａと交差する交差方向に形成されたノズルの領域が、前記被記録媒体Ｐの前記交差方向全体をカバー可能なように設けられ、記録ヘッド又は被記録媒体の一方を固定し他方を移動させて画像を形成する記録装置に用いられる記録ヘッドである。なお、ラインヘッドの前記交差方向のノズルの領域は、記録装置が対応している全ての被記録媒体Ｐの前記交差方向全体をカバー可能でなくてもよい。  
また、本実施形態においては、搬送方向Ａが被記録媒体Ｐの長手方向、搬送方向Ａと交差する交差方向（走査方向Ｂ）が被記録媒体Ｐの短手方向に該当する。
【００４２】
また、ここで、被記録媒体Ｐに記録を行う際の記録ヘッド４の対向する領域が記録領域３３であり、詳細には、記録ヘッド４のノズル形成面３４に設けられたインクを吐出する不図示のノズルの構成領域に対向する領域が記録領域３３である。なお、記録機構１６には、記録領域３３において被記録媒体Ｐに吐出されたインクの揮発成分の一部を蒸発させるため、記録領域３３を５０℃〜６０℃程度に加熱可能な赤外線等の電磁波を照射する電磁波照射式のプラテンヒーター５が設けられている。  
電磁波としては、赤外線を用いることが望ましく、その波長は０．７６〜１０００μｍである。一般的に、赤外線は波長によってさらに、近赤外線、中赤外線、遠赤外線に区分され、区分の定義は様々であるが、おおよそ波長域は、０．７８〜２．５μｍ、２．５〜４．０μｍ、４．０〜１０００μｍとなる。なかでも中赤外線を用いることが好ましい。
【００４３】
記録ヘッド４の被記録媒体Ｐの搬送方向Ａにおける下流側には、乾燥機構１７を備えている。乾燥機構１７は、記録ヘッド４により記録された被記録媒体Ｐに赤外線等の電磁波を照射可能な電磁波照射部７を備えている。また、乾燥機構１７は、電磁波照射部７の電磁波の照射領域１２を含む支持領域において被記録媒体Ｐを支持し、電磁波照射部７による電磁波照射により１００℃〜１２０℃程度に加熱されて被記録媒体Ｐに吐出された前記インクから蒸発した蒸気を通す開口部１９（図２参照）が設けられる媒体支持部６を備えている。該照射領域１２では、電磁波照射部７による電磁波照射により前記吐出されたインクは１００℃〜１２０℃程度に加熱される。
【００４４】
媒体支持部６における被記録媒体Ｐを支持する支持面３７側と反対側には、電磁波照射部７による電磁波の照射によって被記録媒体Ｐの裏面側（記録面３８とは反対側）に発生する前記蒸気を移動させる気流を発生させる、第１蒸気移動部としてのファン１０が設けられている。ファン１０は、前記蒸気が被記録媒体Ｐの支持面３７側から反対側に向かって開口部１９を通る方向Ｄの気流を発生させる。別の表現をすると、ファン１０は被記録媒体Ｐの支持面３７側から開口部１９を介して前記蒸気を移動させる。すなわち、ファン１０は被記録媒体Ｐに吐出されたインクが電磁波の照射によって蒸発して乾燥することで被記録媒体Ｐの裏面側に発生する前記蒸気を該被記録媒体から遠ざける方向に移動させる。これにより、被記録媒体Ｐの裏面側の部分に発生した蒸気を直ちに除くことができ、以って該蒸気が前記被記録媒体の裏面側の部分において結露することを抑制することができる。  
ここで、「蒸気を、移動させる気流を発生させる」とは、被記録媒体Ｐの裏面側に気流を発生させるだけでは足りず、前記蒸気を移動させる気流を発生させることが可能であることを要する意味である。このため、例えば、被記録媒体Ｐを媒体支持部に吸着させる記録装置における蒸気移動部は、被記録媒体Ｐが媒体支持部に吸着することにより媒体支持部の開口部がふさがれて前記蒸気を移動させる気流を発生することはできないため、上記「第１蒸気移動部」には該当しない。  
本実施形態の記録装置１は、前記蒸気を移動させる気流を発生させるファン１０を備えているので、媒体支持部６における被記録媒体Ｐの支持面３７側に前記蒸気が滞留し結露するということを抑制できる。
【００４５】
なお、方向Ｄの気流は前記蒸気を含んでいる。本実施形態の記録装置１は、該蒸気を結露させて回収する回収部を構成する結露部１８及び結露部２０と、廃液タンク２５と、を備えている。前記蒸気を含む方向Ｄの気流は、結露部１８の結露面２１及び結露部２０の結露面２２で結露する。そして、結露して生じた液体は、結露部１８に設けられた樋２３及び結露部２０に設けられた樋２４を介して廃液タンク２５に回収される。このため、前記インクから蒸発した蒸気の放出を抑制し、前記インクに基づく蒸気の環境への放出量を低減している。
【００４６】
ここで、本実施形態において、前記回収部を構成する結露部１８及び結露部２０は、媒体支持部６よりも熱伝導率が高い。このため、結露部１８及び結露部２０は、電磁波照射部７の電磁波の照射に起因して発生した前記蒸気等を介して伝わってきた熱が逃げやすく、媒体支持部６よりも温度が低くなって前記蒸気が結露しやすい。すなわち、結露部１８及び結露部２０で前記蒸気を結露させることにより、媒体支持部６において前記蒸気が結露することを抑制している。なお、前記回収部を構成する結露部１８及び結露部２０の少なくとも一部が媒体支持部６よりも熱伝導率が高ければ、媒体支持部６において前記蒸気が結露することを抑制できる。
【００４７】
また、乾燥機構１７には、電磁波照射部７による電磁波の照射によって被記録媒体Ｐの記録面３８側に発生する前記蒸気を移動させる気流を発生させる第２蒸気移動部としてのファン１１が設けられている。別の表現をすると、ファン１１は前記蒸気を被記録媒体Ｐから遠ざける方向に移動させる。このため、本実施形態の記録装置１は、被記録媒体Ｐの記録面３８側とその反対側の両方において前記蒸気を移動させることができ、より効果的に前記蒸気が結露することを抑制できる構成になっている。ただし、このような構成には限定されない。
【００４８】
また、本実施形態の乾燥機構１７は、第２蒸気移動部として、ファン１１に加えて被記録媒体Ｐの記録面３８側に発生する前記蒸気を吸引する吸気口８と、該蒸気の流路９を有している。そして、ファン１１は、被記録媒体Ｐの記録面３８側に発生する前記蒸気が、吸気口８及び流路９を介して、記録装置１の外部に向かう方向Ｅの気流を発生させる。
【００４９】
また、乾燥機構１７の被記録媒体Ｐの搬送方向Ａにおける下流側には、被記録媒体Ｐを巻き取る際の該被記録媒体Ｐの張力を調整する役割の張力調整部１３が備えられている。そして、張力調整部１３の被記録媒体Ｐの搬送方向Ａにおける下流側には、被記録媒体Ｐを巻き取り可能な巻取部１４が備えられている。なお、本実施形態の記録装置１では、被記録媒体ＰのロールＲ２を形成する際、巻取部１４は回転方向Ｃに回転する。
【００５０】
次に、媒体支持部６についてさらに詳細に説明する。  
図２は、本実施形態の媒体支持部６を表す概略斜視図である。
【００５１】
媒体支持部６には、開口部１９が設けられている。即ち、被記録媒体Ｐに吐出されたインクから蒸発した蒸気が当該媒体支持部６に対して前記被記録媒体Ｐ側から反対側に向って通過可能である開口部１９が設けられている。該開口部１９は、前記インクから蒸発した蒸気を当該媒体支持部６の一方の面側から他方の面側に通す役割がある。  
前記開口部１９を設けたことにより、電磁波照射によりインクから蒸発した蒸気を、該開口部１９を通って前記媒体支持部６の前記被記録媒体Ｐと対向する部分、即ち該媒体支持部６と該被記録媒体Ｐとの接触領域から遠ざける方向に逃がすことが可能になる。これにより、結露源となる当該蒸気の当該媒体支持部周辺における存在量を簡単に減らすことができ、以って当該媒体支持部周辺は結露が起こり難い状態になっている。
【００５２】
前記開口部１９の形状等に特に限定はなく、円形、多角形、その他蒸気を通過できる構造であれば全てよい。  
該開口部１９の好ましい構成例として、少なくとも一部が直径０．３ｍｍ以下の線状部材を格子状に並べて構成されている四角形が挙げられる。前記蒸気が結露するのには一定の面積の領域が必要になるが、少なくとも一部が直径０．３ｍｍ以下の線状部材を用いて開口部を構成することにより、開口部以外の面積を小さくすることができるため、このような一定の面積の領域を低減することができ、媒体支持部６における被記録媒体Ｐとの接触部分で蒸気が結露することを高い精度で抑制できるためである。
【００５３】
また、媒体支持部６に対する開口部１９の開口率は、４０％以上であることが好ましい。前記蒸気を媒体支持部６の周りから遠くへ除きやすく、当該媒体支持部６で蒸気が結露することを高い精度で抑制できるためである。
【００５４】
また、本実施形態の媒体支持部６は、記録装置１の設置面に対して１０°以上６０°以下の範囲で傾斜して設けられる。すなわち、図２で表される傾斜角θは１０°以上６０°以下である。このため、前記記録装置の設置面に対して傾斜していない構成の記録装置に比べて、記録装置を小型化することができる。そして、図１で表されるように、吸気口８は、電磁波照射部７の照射領域に対して鉛直上方向に位置する。  
ここで、「照射領域に対して鉛直上方向に位置する」とは、前記照射領域の真上に限定されず、多少ずれていても上昇してくる前記蒸気を吸い込める位置であればよい意味で使われている。  
本実施形態の記録装置１はこのような構成であるため、吸気口８は、前記設置面が水平面である一般的な場合、加熱されているため鉛直上方向に移動しやすい前記蒸気を効果的に吸引することができる。すなわち、本実施形態の記録装置１は、効果的に媒体支持部６において前記蒸気が結露することを抑制している。  
なお、媒体支持部６の材料は特に限定が無く、ステンレスやアルミニウム等の金属や、ポリフェニレンサルファイドやポリエーテルエーテルケトンなどのプラスチックや、該プラスチックにガラス繊維や炭素繊維などの補強部材を添加したもの等を使用できる。また、例えば、媒体支持部の端部と中央部とで異なる材料を用いてもよい。
【００５５】
図３は、本実施形態の媒体支持部６を表す概略平面図である。  
図３における電磁波照射部７の電磁波の照射領域１８で表されるように、搬送方向Ａと交差する交差方向における電磁波照射部７の電磁波の照射長さは、前記交差方向における媒体支持部６の長さに対応している。  
ここで、「前記交差方向における媒体支持部６の長さ」は、媒体支持部６が外枠を有する場合は該外枠を含めた長さとしてもよいし、該外枠を含めずに前記開口部１９が設けられた領域の長さとしてもよい。  
また、「前記交差方向における媒体支持部６の長さに対応している」とは、前記交差方向における媒体支持部６の長さと同等かそれ以上であることを意味し、該同等には前記交差方向における媒体支持部６の長さよりも若干短い場合も含まれる意味である。本実施形態では、前記交差方向における媒体支持部６の長さを外枠を含めた長さとすると媒体支持部６の長さよりも若干短く、前記交差方向における媒体支持部６の長さを外枠を含めず開口部１９が設けられた領域の長さとすると媒体支持部６の長さよりも若干長い。一方、この「前記交差方向における媒体支持部６の長さに対応している」には、前記交差方向における外枠を含めた媒体支持部６の長さよりも長い場合や、前記交差方向における外枠を含めない媒体支持部６の長さよりも若干短い場合も含む意味である。  
本実施形態の記録装置１は、前記交差方向における電磁波照射部７の電磁波の照射長さは、前記交差方向における媒体支持部６の長さに対応している。このため、前記交差方向における媒体支持部６の温度差を小さくし、媒体支持部６の前記交差方向の端部等に結露が生じることを抑制している。
【００５６】
なお、本実施形態に係る記録装置１は、被記録媒体Ｐとして布帛及びポリエステルの少なくとも一方を使用可能である。  
ここで、「布帛」とは、綿、麻、絹、又はこれらを混合したもの等を原糸とする布や織物等の繊維製品を意味し、例えば、ブラウス、ワイシャツ、作業着などの衣料品の材料として用いられるブロード、シーチング等の繊維製品が挙げられる。  
また、コート紙等の表面コーティングがなされたもの、裏面剥離フィルム、レーヨン、合成紙等を使用可能であってもよい。  
本実施形態の記録装置１は、被記録媒体Ｐとして布帛及びポリエステルの少なくとも一方を使用可能である。このような被記録媒体Ｐは被記録媒体Ｐの裏面側に前記蒸気が通り抜けやすい。しかしながら、本実施形態の記録装置１は、上記構成により、このような被記録媒体Ｐを使用する場合であっても、前記蒸気が結露することを抑制している。
【００５７】
［実施形態２］（図４）  
以下に、実施形態２の記録装置について、添付図面を参照して詳細に説明する。  
図４は、本実施形態の記録装置１の概略側面図を表している。なお、上記実施形態と共通する構成部材は同じ符号で示しており、詳細な説明は省略する。  
なお、本実施形態の記録装置１は、乾燥機構１７以外は実施形態１の記録装置１と同様の構成である。
【００５８】
本実施形態の乾燥機構１７は、媒体支持部６が記録装置１の設置面に対して略平行に設けられており、吸気口８が電磁波照射部７の照射領域１２と対向して設けられている。別の表現をすると、被記録媒体Ｐの記録面３８における電磁波照射部７の照射領域１２に対応する部分の鉛直上方向に吸気口８が設けられている。このため、効果的に前記蒸気を吸引することができる。前記蒸気は加熱されているため鉛直上方向に移動しやすいためである。すなわち、本実施形態の記録装置１は、効果的に前記蒸気が結露することを抑制している。
【００５９】
［実施形態３］（図５〜図６）  
以下に、実施形態３の記録装置について、添付図面を参照して詳細に説明する。  
図５は、本実施形態の媒体支持部６の概略平面図を表している。また、図６は、本実施形態の記録装置１の概略正面図を表している。なお、上記実施形態と共通する構成部材は同じ符号で示しており、詳細な説明は省略する。  
なお、本実施形態の記録装置１は、乾燥機構１７以外は実施形態１の記録装置１と同様の構成である。
【００６０】
実施形態１及び実施形態２の記録装置１は、第１蒸気移動部としてのファン１０により、媒体支持部６の被記録媒体Ｐを支持する側から開口部１９を介して記録装置１の外部に向かう方向Ｄの気流を発生させる構成である。すなわち、媒体支持部６の被記録媒体Ｐを支持する側から開口部１９を介して媒体支持部６の被記録媒体Ｐを支持する側とは反対側に向かう気流を直接発生させる構成である。  
一方、本実施形態の記録装置１は、第１蒸気移動部としてのファン２６により、搬送方向Ａと交差し、記録装置１の設置面に対して略平行な、方向Ｆ１に気流を発生させる。そして、この方向Ｆ１の気流により、媒体支持部６の被記録媒体Ｐを支持する側から開口部１９を介して媒体支持部６の被記録媒体Ｐを支持する側とは反対側に向かう、方向Ｆ２に気流を発生させる構成である。すなわち、媒体支持部６の被記録媒体Ｐを支持する側から開口部１９を介して媒体支持部６の被記録媒体Ｐを支持する側とは反対側に向かう気流を間接的に発生させる構成である。
【００６１】
前記蒸気は、方向Ｆ２の気流により媒体支持部６の被記録媒体Ｐを支持する側から開口部１９を介して媒体支持部６の被記録媒体Ｐを支持する側とは反対側に向かった後、方向Ｆ１の気流により回収部としての結露部２７の方向に移動する。そして、方向Ｆ１の気流による前記蒸気の移動により、結露部２７の結露面３１及び回収部としての結露部２８の結露面３２で結露する。そして、結露面３１及び結露面３２で結露して生じた液体は、結露面３１及び結露面３２を伝って流れることにより、廃液ボトル３０に回収される。  
なお、本実施形態の記録装置１は、結露部２７及び結露部２８で回収しきれない蒸気をトラップするフィルター２９を備えている。ただし、このような構成に限定されない。
【００６２】
［実施形態４］（図７）  
以下に、実施形態４の記録装置について、添付図面を参照して詳細に説明する。  
図７は、本実施形態の媒体支持部３６の概略斜視図を表している。なお、上記実施形態と共通する構成部材は同じ符号で示しており、詳細な説明は省略する。  
なお、本実施形態の記録装置１は、乾燥機構１７以外は実施形態１の記録装置１と同様の構成である。
【００６３】
実施形態１〜実施形態３の記録装置１は、第１蒸気移動部としてのファン１０又はファン２６により、媒体支持部６の被記録媒体Ｐを支持する側から開口部１９を介して媒体支持部６の被記録媒体Ｐを支持する側とは反対側に向かう方向Ｄ又は方向Ｆ２に気流を発生させる構成である。  
一方、本実施形態の記録装置１は、第１蒸気移動部としてのファン３５により、被記録媒体Ｐと媒体支持部３６の被記録媒体Ｐの支持面３７との間に生じる隙間（空間）に方向Ｇの気流を発生させる構成である。別の表現をすると、ファン３５は前記隙間から蒸気を移動させる構成である。
【００６４】
本実施形態の記録装置１は、電磁波照射部７の照射領域において、被記録媒体Ｐと被記録媒体Ｐの支持面３７とに隙間を有した状態で、被記録媒体Ｐを支持面３７で支持する媒体支持部３６を備え、ファン３５は、前記隙間に気流を発生させる構成である。詳細には、支持面３７は搬送方向Ａと交差する交差方向を幅方向とする階段状になっており、ファン３５は該交差方向に沿う方向Ｇに気流を発生させる構成である。  
媒体支持部３６は、被記録媒体Ｐと被記録媒体Ｐの支持面３７とに隙間を有した状態で、被記録媒体Ｐを支持面３７で支持するので、被記録媒体Ｐと支持面３７との接触面積を低減することにより搬送負荷を低減している。  
また、被記録媒体Ｐと被記録媒体Ｐの支持面３７とに隙間を有することで、該隙間に前記蒸気が集まるが、ファン３５が該隙間に気流を発生させるので、該隙間の蒸気を逃がすことができ、該隙間部分に蒸気が結露することも抑制している。
【００６５】
以上の実施形態１〜実施形態４で表されるように、本発明の記録装置は、電磁波を利用して被記録媒体Ｐ上に存在するインクを乾燥する電磁波照射部７と、電磁波照射部７による電磁波の照射によって被記録媒体Ｐの裏面側に発生する前記インクから蒸発した蒸気を、該被記録媒体Ｐから遠ざける方向に移動させるファン１０と、を備えることを特徴とする。このため、前記蒸気が結露することを抑制することができる。
【００６６】
また、別の表現をすると、本発明の記録装置は、インク乾燥用の電磁波の照射によって被記録媒体Ｐの裏面側に発生する被記録媒体Ｐに吐出されたインクから蒸発した蒸気を該被記録媒体Ｐから遠ざける方向に移動させる構成であることを特徴とする。このため、前記蒸気が結露して被記録媒体Ｐを汚すことを抑制することができる。
【００６７】
また、別の表現をすると、本発明の記録装置は、電磁波を利用して被記録媒体Ｐ上に存在するインクを乾燥する電磁波照射部７と、前記インクを乾燥させる際に、被記録媒体Ｐの裏面側に発生する前記インクから蒸発した蒸気を、該被記録媒体Ｐから遠ざける方向に移動させるファン１０と、を備えることを特徴とする。このため、前記蒸気が結露して被記録媒体Ｐを汚すことを抑制することができる。
【００６８】
また、別の表現をすると、本発明の乾燥方法は、被記録媒体Ｐの上に存在するインクを乾燥させる乾燥方法であって、電磁波照射部７による電磁波の照射によって被記録媒体Ｐの裏面側に発生する被記録媒体Ｐに吐出されたインクから蒸発した蒸気を、ファン１０により該被記録媒体Ｐから遠ざける方向に移動させながら乾燥を行うことを特徴とする。このため、前記蒸気が結露して被記録媒体Ｐを汚すことを抑制することができる。
【符号の説明】
【００６９】
１  記録装置、２  セット部、３  プラテン、４  記録ヘッド、
５  プラテンヒーター、６  媒体支持部、７  電磁波照射部、８  吸気口、
９  流路、１０  ファン（第１蒸気移動部）、１１  ファン（第２蒸気移動部）、
１２  照射領域、１３  張力調整部、１４  巻取部、１５  搬送機構、
１６  記録機構、１７  乾燥機構、１８  結露部（回収部）、１９  開口部、
２０  結露部（回収部）、２１  結露面、２２  結露面、２３  樋、２４  樋、
２５  廃液タンク、２６  ファン（第１蒸気移動部）、２７  結露部（回収部）、
２８  結露部（回収部）、２９  フィルター、３０  廃液タンク、３１  結露面、
３２  結露面、３３  記録領域、３４  ノズル形成面、
３５  ファン（第１蒸気移動部）、３６  媒体支持部、３７  支持面、３８  記録面、
Ｐ  被記録媒体、Ｒ１  被記録媒体のロール、Ｒ２  被記録媒体のロール
【図１】
2015020417.tif 000003
【図２】
2015020417.tif 000004
【図３】
2015020417.tif 000005
【図４】
2015020417.tif 000006
【図５】
2015020417.tif 000007
【図６】
2015020417.tif 000008
【図７】
2015020417.tif 000009